(57)【要約】      （修正有）【課題】送電装置が受電装置に対して給電を行うシステム（給電システム）における適切な給電を可能とする給電システムの動作方法を提供する。【解決手段】受電装置が受電する電力値に応じて、送電装置が有する可変高周波電源が出力する高周波電圧の周波数を制御する。すなわち、給電に直結する情報に基づいて当該高周波電圧の周波数を制御する。これにより、給電システムにおける伝送効率の高い給電を正確に行うことが可能となる。【選択図】図２
2020120580.tif 000002
【特許請求の範囲】
【請求項１】
送電装置が有する可変高周波電源が出力する高周波電圧を磁界共鳴方式によって受電装置に給電する給電システムの動作方法であって、
前記可変高周波電源が第１の周波数の高周波電圧を出力する状態において、前記受電装置が受電する第１の電力値を前記送電装置が検知する第１のステップと、
前記可変高周波電源が前記第１の周波数よりも高い第２の周波数の高周波電圧を出力する状態において、前記受電装置が受電する第２の電力値を前記送電装置が検知する第２のステップと、
前記第１のステップ及び前記第２のステップ後、前記第１の電力値が前記第２の電力値以上である場合に、前記第１の周波数を前記可変高周波電源が出力する高周波電圧の周波数とし、前記第１の電力値が前記第２の電力値未満である場合に、前記第２の周波数を前記可変高周波電源が出力する高周波電圧の周波数とする第３のステップと、を有し、
前記第１のステップ乃至前記第３のステップを定期的に繰り返すことを特徴とする給電システムの動作方法。
【請求項２】
請求項１において、
前記第１のステップ乃至前記第２のステップを繰り返すとき、前記第３のステップにおいて選択された周波数における電力値を、次回に行われる前記第３のステップまで保持した後、前記第１のステップ又は前記第２のステップを行わないことを特徴とする給電システムの動作方法。
【請求項３】
請求項１または請求項２において、
前記送電装置から前記受電装置に対する給電、及び前記送電装置及び前記受電装置間の信号の送受信が、前記送電装置が有する共鳴コイル及び前記受電装置が有する共鳴コイルを介して行われることを特徴とする給電システムの動作方法。
【発明の詳細な説明】
【技術分野】
【０００１】
本発明は、給電システムの動作方法に関する。特に、磁界共鳴方式によって給電が行わ
れる給電システムの動作方法に関する。
【背景技術】
【０００２】
電力供給源（以下、送電装置ともいう）と接触していない状態において、対象物（以下
、受電装置ともいう）に対して給電を行う（非接触給電、ワイヤレス給電などともいう）
方式として、磁界共鳴方式と呼ばれる方式が注目されている。磁界共鳴方式は、送電装置
及び受電装置の双方に設けられる共鳴コイルを磁界共鳴させることでエネルギーの伝搬路
を形成する方式であり、他の方式（電磁誘導方式、電界誘導方式など）と比較して給電可
能距離が長い。例えば、非特許文献１では、磁界共鳴方式における伝送効率が対応する共
鳴コイルの距離が１ｍであれば約９０％、２ｍであれば約４５％という値を示すことが開
示されている。
【０００３】
なお、磁界共鳴方式における伝送効率は、対応する共鳴コイルの距離が近ければ近いほ
ど高くなるものではない。さらに、当該伝送効率は、共鳴コイルの自己共振周波数及び当
該共鳴コイルに誘起される高周波電圧の周波数など種々の因子に応じて変化する。そのた
め、磁界共鳴方式による給電を行う際には、これらの因子を最適化することが好ましい。
例えば、特許文献１では、高周波電源が出力する高周波電圧の周波数を対応する共鳴コイ
ル間の推定距離に応じて変化させる給電システムの動作方法が開示されている。
【先行技術文献】
【特許文献】
【０００４】
【特許文献１】特開２０１０−２５２４４６号公報
【非特許文献】
【０００５】
【非特許文献１】Ａｎｄｒｅ  Ｋｕｒｓ，ｅｔ  ａｌ．，”Ｗｉｒｅｌｅｓｓ  Ｐｏｗｅｒ  Ｔｒａｎｓｆｅｒ  ｖｉａ  Ｓｔｒｏｎｇｌｙ  Ｃｏｕｐｌｅｄ  Ｍａｇｎｅｔｉｃ  Ｒｅｓｏｎａｎｃｅｓ”Ｓｃｉｅｎｃｅ，ｖｏｌ．３１７，ｐｐ．８３−８６，２００７
【発明の概要】
【発明が解決しようとする課題】
【０００６】
特許文献１で開示される給電システムの動作方法においては、Ｓ１１パラメータに基づ
いて対応する共鳴コイルの距離を推定している。Ｓ１１パラメータは、送電装置が有する
共鳴コイルが放射する電磁波の反射成分を示すものであり、送電装置が有する共鳴コイル
と受電装置が有する共鳴コイルの距離に応じて変化する。ただし、Ｓ１１パラメータは、
当該距離のみに応じて変化する訳ではなく、その他の因子（電磁波の伝搬の障害物となる
物の存在など）に応じても変化する。したがって、特許文献１で開示される給電システム
の動作方法においては、適切な給電を行うことが困難となる可能性がある。
【０００７】
上述の課題に鑑み、本発明の一態様は、給電システムにおける適切な給電を可能とする
給電システムの動作方法を提供することを目的の一とする。
【課題を解決するための手段】
【０００８】
本発明の一態様は、受電装置が受電する電力値に応じて、送電装置が有する可変高周波
電源が出力する高周波電圧の周波数を制御することを要旨とする。
【０００９】
具体的には、本発明の一態様は、送電装置が有する可変高周波電源が出力する高周波電
圧を磁界共鳴方式によって受電装置に給電する給電システムの動作方法であって、可変高
周波電源が第１の周波数の高周波電圧を出力する状態において、受電装置が受電する第１
の電力値を送電装置が検知する第１の工程と、可変高周波電源が第１の周波数よりも高い
第２の周波数の高周波電圧を出力する状態において、受電装置が受電する第２の電力値を
送電装置が検知する第２の工程と、第１の工程及び第２の工程後、第１の電力値が第２の
電力値以上である場合に、第１の周波数を可変高周波電源が出力する高周波電圧の周波数
とし、第１の電力値が第２の電力値未満である場合に、第２の周波数を前記可変高周波電
源が出力する高周波電圧の周波数とする第３の工程と、を有することを特徴とする給電シ
ステムの動作方法である。
【００１０】
また、第１の工程後に第２の工程を行う上述の給電システムの動作方法を複数回行う給
電システムの動作方法であって、第１の電力値が第２の電力値以上となるまで当該動作を
繰り返し行うことで、複数回行われる当該動作における第１の周波数及び第２の周波数を
段階的に上昇させ、第１の電力値が第２の電力値以上となる際の当該動作における第１の
周波数を可変高周波電源が出力する高周波電圧の周波数として一定期間保持することを特
徴とする給電システムの動作方法も本発明の一態様である。
【００１１】
また、第２の工程後に第１の工程を行う上述の給電システムの動作方法を複数回行う給
電システムの動作方法であって、第１の電力値が第２の電力値未満となるまで当該動作を
繰り返し行うことで、複数回行われる当該動作における第１の周波数及び第２の周波数を
段階的に下降させ、第１の電力値が第２の電力値未満となる際の当該動作における第２の
周波数を可変高周波電源が出力する高周波電圧の周波数として一定期間保持することを特
徴とする給電システムの動作方法も本発明の一態様である。
【００１２】
また、上述の給電システムの動作方法を複数回行う給電システムの動作方法において、
給電システムにセンサが設けられ、センサが、給電環境が変化したことを検知した場合に
一定期間を終了させることを特徴とする給電システムの動作方法も本発明の一態様である
。
【００１３】
また、上述の給電システムの動作方法を複数回行う給電システムの動作方法であって、
複数回行われる当該動作のそれぞれの第３の工程において選択された周波数における電力
値を少なくとも次回に行われる当該動作における第３の工程まで保存することで、２回目
以降に行われる当該動作のそれぞれにおいて第１の工程又は第２の工程を行わないことを
特徴とする給電システムの動作方法も本発明の一態様である。
【００１４】
また、上述の給電システムの動作方法において、送電装置から受電装置に対する給電、
及び送電装置及び受電装置間の信号の送受信が、共に送電装置が有する共鳴コイル及び受
電装置が有する共鳴コイルを介して行われることを特徴とする給電システムの動作方法も
本発明の一態様である。
【発明の効果】
【００１５】
本発明の一態様の給電システムの動作方法においては、受電装置が受電する電力値に応
じて、送電装置が有する可変高周波電源が出力する高周波電圧の周波数を制御する。すな
わち、給電に直結する情報に基づいて当該高周波電圧の周波数を制御する。これにより、
給電システムにおける伝送効率の高い給電を正確に行うことが可能となる。
【００１６】
また、本発明の一態様の給電システムの動作方法においては、受電装置が受電する電力
値に応じて、動的に当該高周波電圧の周波数を制御する。これにより、給電条件が時間と
ともに変化した場合（例えば、受電装置が有するバッテリーの充電を行うことによって、
経時的にインピーダンスが変化する場合など）であっても、定常的に給電システムにおけ
る伝送効率の高い給電を正確に行うことが可能となる。
【００１７】
また、本発明の一態様の給電システムの動作方法においては、信号の送受信及び給電の
それぞれを行う機構を別途設けるのではなく、両者を共に送電装置が備える共鳴コイル及
び受電装置が備える共鳴コイルを介して行う。したがって、送電装置及び受電装置を小型
化することが可能である。
【図面の簡単な説明】
【００１８】
【図１】（Ａ）給電システムの構成例を示す図、（Ｂ）、（Ｃ）負荷の構成例を示す図。
【図２】給電システムの動作例を示すフローチャート。
【図３】（Ａ）、（Ｂ）給電システムの用途例を示す図。
【発明を実施するための形態】
【００１９】
以下では、本発明の実施の形態について図面を用いて詳細に説明する。ただし、本発明
は以下の説明に限定されず、本発明の趣旨およびその範囲から逸脱することなくその形態
および詳細を様々に変更し得ることは、当業者であれば容易に理解される。したがって、
本発明は以下に示す実施の形態の記載内容に限定して解釈されるものではない。
【００２０】
まず、本発明の一態様に係る給電システムの構成例及び動作例の一例について図１を参
照して説明する。
【００２１】
＜給電システムの構成例＞
図１（Ａ）は、給電システムの構成例を示す図である。図１（Ａ）に示す給電システム
は、送電装置１００と、受電装置２００とを有する。なお、図１（Ａ）に示す給電システ
ムは、送電装置１００から受電装置２００に対する給電が磁界共鳴方式によって行われる
給電システムである。
【００２２】
送電装置１００は、コントローラ１０と、出力する高周波電圧の周波数がコントローラ
によって制御される可変高周波電源１１と、コントローラ１０において生成される信号に
したがって高周波電圧を変調する変調回路１２と、変調回路１２によって変調された高周
波電圧が印加されるコイル１３と、コイル１３との電磁誘導によって高周波電圧が誘起さ
れる共鳴コイル１４と、コイル１３に誘起される高周波電圧から信号を復調する復調回路
１５とを有する。また、共鳴コイル１４には、配線間の浮遊容量１６が存在している。
【００２３】
なお、可変高周波電源１１は、出力する高周波電圧の周波数がコントローラ１０によっ
て制御される構成であれば、どのような構成としてもよい。具体的には、可変高周波電源
１１として、Ｄ／Ａコンバータを介してアナログ電圧制御が行われる回路を適用すること
が可能である。例えば、可変高周波電源１１として、コルピッツ発振回路若しくはハート
レー発振回路と可変容量ダイオードとを組み合わせた回路、又は電圧制御発振器（ＶＣＯ
）と位相同期回路（ＰＬＬ）を組み合わせた回路などを適用することが可能である。
【００２４】
また、変調回路１２の構成としては、高周波電圧を搬送波として信号を重畳する（例え
ば、振幅変調を行う）ことが可能な構成であればどのような回路を適用してもよい。
【００２５】
また、図１（Ａ）においては、コイル１３と共鳴コイル１４を別途設ける構成について
示したが、これらを共有の１つのコイルとすることも可能である。ただし、その場合、当
該コイルの直列抵抗及びキャパシタンスが大きくなる。これは、Ｑ値が小さくなることを
意味する。したがって、図１（Ａ）に示すようにコイル１３及び共鳴コイル１４を別途設
ける構成とすることが好ましい。
【００２６】
また、復調回路１５の構成としては、高周波電圧に重畳する信号（例えば、振幅変調に
よって高周波電圧に重畳された信号）を判別し、デジタル信号として出力することが可能
な回路であれば、どのような回路を適用してもよい。
【００２７】
また、図１（Ａ）においては、共鳴コイル１４には、配線間の浮遊容量１６のみが存在
する構成について示したが、共鳴コイル１４の一端及び他端の間にキャパシタを設ける構
成とすることも可能である。
【００２８】
受電装置２００は、送電装置１００が有する共鳴コイル１４との磁界共鳴によって高周
波電圧が誘起される共鳴コイル２０と、共鳴コイル２０との電磁誘導によって高周波電圧
が誘起されるコイル２１と、コイル２１で誘起された高周波電圧を基に給電が行われる負
荷２２と、コイル２１に誘起される高周波電圧から信号を復調する復調回路２３と、負荷
２２に対して給電される電力値の検知及び復調回路２３によって復調された信号を取得す
るコントローラ２４と、コントローラ２４によって動作が制御される応答手段２５とを有
する。また、共鳴コイル２０には、配線間の浮遊容量２６が存在している。
【００２９】
なお、図１（Ａ）においては、共鳴コイル２０とコイル２１を別途設ける構成について
示したが、これらを共有の１つのコイルとすることも可能である。ただし、その場合、当
該コイルの直列抵抗及びキャパシタンスが大きくなる。これは、Ｑ値が小さくなることを
意味する。したがって、図１（Ａ）に示すように共鳴コイル２０及びコイル２１を別途設
ける構成とすることが好ましい。
【００３０】
また、負荷２２は、給電される電力値がコントローラ２４によって検知される構成であ
れば、どのような構成としてもよい。例えば、負荷２２が、ＡＣＤＣコンバータ、ＤＣＤ
Ｃコンバータ、バッテリーなどを有する構成とすることが可能である。特に、負荷２２が
、コイル２１に誘起された高周波電圧を基に充電が行われるバッテリーを有する構成とす
ることが好ましい。磁界共鳴を利用する場合、中長距離においても高効率な電力供給を行
うことが可能であるからである。
【００３１】
図１（Ｂ）は、負荷２２の具体例を示す図である。図１（Ｂ）に示す負荷２２は、コイ
ル２１に誘起された高周波電圧を整流する整流回路２２１と、整流回路２２１によって整
流された電圧を変換するＤＣＤＣコンバータ２２２と、ＤＣＤＣコンバータ２２２が出力
する直流電圧によって充電が行われるバッテリー２２３と、整流回路２２１によって整流
された電圧及び電流を数値化し、コントローラ２４に対して出力するＡ／Ｄコンバータ２
２４とを有する。図１（Ｂ）に示す負荷２２を有する受電装置においては、コントローラ
２４が整流回路２２１によって整流された電圧及び電流の積から給電される電力値を検知
することが可能である。
【００３２】
また、図１（Ｃ）に示す様に、Ａ／Ｄコンバータ２２４が、ＤＣＤＣコンバータ２２２
が出力する電圧及び電流を数値化し、コントローラ２４に対して出力する構成とすること
も可能である。
【００３３】
また、復調回路２３としては、高周波電圧に重畳する信号（例えば、振幅変調によって
高周波電圧に重畳された信号）を判別し、デジタル信号として出力することが可能な回路
であれば、どのような回路を適用してもよい。
【００３４】
また、応答手段２５は、外部の送電装置に対して応答することができる構成であれば、
どのような構成としてもよい。例えば、応答手段２５として、コイル２１の一端及び他端
の間に設けられ、且つ直列接続される抵抗及びスイッチを適用することが可能である。こ
の場合、当該スイッチのスイッチングをコントローラ２４によって制御することで、外部
の送電装置に対して応答することが可能となる。また、当該スイッチとしては、接点が存
在するか否かを制御する機械的スイッチ（機械的リレー、ＭＥＭＳスイッチなど）を適用
することが好ましい。当該スイッチには、高周波電圧が印加されうるからである。
【００３５】
また、図１（Ａ）においては、共鳴コイル２０には、配線間の浮遊容量２６のみが存在
する構成について示したが、共鳴コイル２０の一端及び他端の間にキャパシタを設ける構
成とすることも可能である。
【００３６】
＜給電システムの動作例＞
図２は、図１に示す給電システムにおける動作例を示すフローチャートである。
【００３７】
＜Ｓｔｅｐ１（Ｓ１）＞
まず、可変高周波電源１１が特定の周波数ｆ１で負荷２２に対して給電を行っている状
態において、負荷２２が受電する電力値を検知する。例えば、変調回路１２によって高周
波電圧に負荷変調を与えることによって送電装置１００から負荷２２において受電される
電力値を検知する指令信号を送信する。そして、当該復調回路２３において復調された当
該指令信号にしたがって、コントローラ２４が負荷２２において受電される電力値を検知
し、応答手段２５を用いて当該電力値を送電装置へと返信する。当該電力値は、コントロ
ーラ１０において一時的に保存される。なお、周波数ｆ１は、＜Ｓｔｅｐ１＞において電
力値が検知される際における周波数を指し、特定の周波数の値を指す訳ではない。
【００３８】
＜Ｓｔｅｐ２（Ｓ２）＞
次いで、コントローラ１０が、可変高周波電源１１が出力する高周波電圧の周波数ｆ１
を周波数ｆ２（ここでは、周波数ｆ１＜周波数ｆ２）へと変更する。
【００３９】
＜Ｓｔｅｐ３（Ｓ３）＞
次いで、可変高周波電源１１が周波数ｆ２で負荷２２に対して給電を行っている状態に
おいて、負荷２２が受電する電力値を検知する。具体的には、＜Ｓｔｅｐ１＞における動
作と同様の動作を行う。なお、周波数ｆ２は、＜Ｓｔｅｐ３＞において電力値が検知され
る際における周波数を指し、特定の周波数の値を指す訳ではない。
【００４０】
＜Ｓｔｅｐ４（Ｓ４）、５−１（Ｓ５−１）、５−２（Ｓ５−２）＞
次いで、コントローラ１０において、＜Ｓｔｅｐ１＞において取得された電力値と、＜
Ｓｔｅｐ３＞において取得された電力値との比較を行う。その結果、後者の値が前者の値
以上であれば、コントローラ１０は、可変高周波電源１１が出力する高周波電圧の周波数
ｆ２を維持する。また、後者の値が前者の値未満であれば、コントローラ１０は、可変高
周波電源１１が出力する高周波電圧の周波数ｆ２を周波数ｆ１へと変更する。なお、文言
上、前者の値と後者の値が同一である場合は、周波数ｆ２が選択されることになるが、当
該場合において周波数ｆ１を選択することもできる。すなわち、後者の値が前者の値より
高ければ、可変高周波電源１１が出力する高周波電圧の周波数ｆ２を維持し、後者の値が
前者の値以下であれば、可変高周波電源１１が出力する高周波電圧の周波数ｆ２を周波数
ｆ１へと変更する構成とすることも可能である。
【００４１】
このような動作を経ることによって、給電システムにおける伝送効率が高くなるよう可
変高周波電源が出力する高周波電圧の周波数を制御することが可能となる。
【００４２】
また、図２に示す動作を特定期間毎（定期的）に繰り返す構成とすることも出来る。こ
のような動作を行うことにより、給電条件が時間とともに変化した場合であっても、定常
的に給電システムにおける伝送効率の高い給電を正確に行うことが可能となる。
【００４３】
また、図２に示す動作を任意（不定期）に繰り返す構成とすることもできる。例えば、
図２に示す動作を複数回繰り返して行い、当該周波数が最適な値となった時点で当該周波
数を一定期間保つことができる。詳細に述べると、可変高周波電源１１が出力する高周波
電圧の周波数が最適な周波数の近傍値になった場合には、図２に示す動作を繰り返すこと
によって周波数の上昇及び下降を繰り返すことが想定される。よって、図２に示す動作を
複数回繰り返して行った場合、ある回数までは全て周波数を上昇させる結果となり、それ
以後は周波数の上昇及び下降を繰り返すことが想定される。したがって、図２に示す動作
を複数回繰り返して行い、周波数を下降させる結果となった時点における周波数を最適な
値とみなすことができる。なお、当該周波数が保たれる一定期間は、予め決められた時間
とすることができる。また、当該給電システムにセンサ（位置センサなど）などを設け、
当該センサによって給電環境が変化したこと（例えば、送電装置及び受電装置の位置関係
などが変化したことにより、給電を行うのに適切な高周波電圧の周波数が変化する場合）
を検知した場合に、再度上述の動作を再開する（当該一定期間を終了する）構成とするこ
ともできる。
【００４４】
なお、上述の動作を複数回行う場合には、当該動作を２回目以降に行う際の＜Ｓｔｅｐ
１＞は行わなくてもよい。当該回の前回に検知された電力値を保存しておけば、当該電力
値の検知（＜Ｓｔｅｐ１＞）が不要となるためである。具体的に述べると、図２に示す動
作において、＜Ｓｔｅｐ５−１＞に進んだ場合には、＜Ｓｔｅｐ３＞で検知された電力値
を保存しておき、＜Ｓｔｅｐ５−２＞に進んだ場合には、＜Ｓｔｅｐ１＞で検知された電
力値を保存しておけばよい。
【００４５】
また、図２に示す動作例では、＜Ｓｔｅｐ２＞において周波数を上昇させる構成（ｆ１
＜ｆ２）について示したが、当該周波数を下降させる構成（ｆ１＞ｆ２）とすることも可
能である。この場合、当該動作を複数回繰り返して行い、周波数を上昇させる結果となっ
た時点における周波数を最適な値とみなすことができる。
【００４６】
また、上述した給電システムでは、信号の送受信及び給電のそれぞれを行う機構を別途
設けるのではなく、両者を共通の共鳴コイル１４、２０及びコイル１３、２１を介して行
われる。したがって、送電装置及び受電装置を小型化することが可能である。
【実施例】
【００４７】
本実施例では、上述の給電システムを適用できる用途について説明する。なお、本発明
の一態様に係る給電システムを適用できる用途としては、携帯型の電子機器である、デジ
タルビデオカメラ、携帯情報端末（モバイルコンピュータ、携帯電話、携帯型ゲーム機又
は電子書籍等）、記録媒体を備えた画像再生装置（具体的にはＤｉｇｉｔａｌ  Ｖｅｒｓ
ａｔｉｌｅ  Ｄｉｓｃ（ＤＶＤ）再生装置）などが挙げられる。また、電力を基に動力を
得る電気自動車等の電気推進移動体が挙げられる。以下、一例について図３を参照して説
明する。
【００４８】
図３（Ａ）は、携帯電話及び携帯情報端末を給電システムの用途とする一例であり、送
電装置７０１、受電装置７０３Ａを有する携帯電話７０２Ａ、受電装置７０３Ｂを有する
携帯電話７０２Ｂによって構成されている。上述した給電システムは、送電装置７０１と
受電装置７０３Ａ及び受電装置７０３Ｂの間で適用することができる。
【００４９】
図３（Ｂ）は、電気推進移動体である電気自動車を給電システムの用途とする一例であ
り、送電装置７１１と、受電装置７１３を有する電気自動車７１２とによって構成されて
いる。上述した給電システムは、送電装置７１１と受電装置７１３の間で適用することが
できる。
【符号の説明】
【００５０】
１０                      コントローラ
１１                      可変高周波電源
１２                      変調回路
１３                      コイル
１４                      共鳴コイル
１５                      復調回路
１６                      浮遊容量
２０                      共鳴コイル
２１                      コイル
２２                      負荷
２３                      復調回路
２４                      コントローラ
２５                      応答手段
２６                      浮遊容量
１００                    送電装置
２００                    受電装置
２２１                    整流回路
２２２                    ＤＣＤＣコンバータ
２２３                    バッテリー
２２４                    Ａ／Ｄコンバータ
７０１                    送電装置
７０２Ａ                  携帯電話
７０２Ｂ                  携帯電話
７０３Ａ                  受電装置
７０３Ｂ                  受電装置
７１１                    送電装置
７１２                    電気自動車
７１３                    受電装置
【図１】
2020120580.tif 000003
【図２】
2020120580.tif 000004
【図３】
2020120580.tif 000005